(57)【特許請求の範囲】
【請求項１】
消火剤ガスを使用する消火設備の配管系路の接続状態を検査する配管接続検査装置であって、検査を行う配管系路の一端側に形成された開口部に配設された噴射ノズルに、該噴射ノズルを覆うことができる音波出力部を備えた音波出力手段を配置するようにし、他端側の開口部として配管系路の選択弁の下流側に設けられた消火設備の稼働を検出するための圧力取出口に、前記音波出力手段から出力された音波を受信し、該受信した音波を表示する音波受信表示手段を配置するようにしたことを特徴とする配管接続検査装置。
【請求項２】
前記音波出力手段から出力する音波の周波数に、１０００Ｈｚ以下の音波を使用することを特徴とする請求項１記載の配管接続検査装置。
【請求項３】
前記音波受信表示手段が、音波出力手段から出力される音波を選択的に受信する機能を備えてなることを特徴とする請求項１又は２記載の配管接続検査装置。
【発明の詳細な説明】
【技術分野】
【０００１】
本発明は、配管接続検査装置に関し、特に、消火設備の配管系路の接続状態を検査する配管接続検査装置に関するものである。
【背景技術】
【０００２】
従来、例えば、噴射ノズルから消火剤貯蔵容器に貯蔵されている不活性消火剤ガス（窒素、二酸化炭素、ハロン、ＨＦＣ−２２７ｅａ、ＦＫ−５−１−１２、ＩＧ−５５、ＩＧ−５４１等）等の消火剤を噴射する消火設備において、消火設備の配管系路の接続状態を検査する場合には、実際にガスを放出する通気試験を行うか、目視によって配管を追っていく目視確認が一般的に行われている。
【０００３】
ところで、実際にガスを放出して配管系路の接続状態を検査する場合、ガスの放出に手数を要し、コストが嵩むという問題があった。
【０００４】
一方、これらの二酸化炭素やハロンガス等の不活性ガスを使用する消火設備は、１つの消火設備に多くの消火対象区画を有する場合が多く、また、配管系路が複雑に入り組んでいたり、配管が天板内に配置されていたりすることが多いため、目視によって配管系路の接続状態を検査する場合、配管が天板を越えているときには、目視によって配管を追うことができない場合があるとともに、配管系路が複雑に入り組んでいるところでは、人的ミスによって、配管系路を間違って認識してしまう問題があった。
【０００５】
このほか、ハンマ等の打撃手段によって配管を叩き、発生した打撃音をガスメータ付近に取り付けた音センサによって検知するガス配管の接続確認方法が提案されている（例えば、特許文献１参照。）
【０００６】
しかしながら、配管を伝わる打撃音は減衰が大きく、また、打撃音は接触している配管にも伝わるため、確実性に乏しいという問題があった。また、一般的に消火設備の消火剤を噴射する噴射ノズルは、天井面に配設されることが多く、噴射ノズル近傍の配管を叩くとしても作業性が悪いという問題があった。
【先行技術文献】
【特許文献】
【０００７】
【特許文献１】特開２００２−３６５３７１号公報
【発明の概要】
【発明が解決しようとする課題】
【０００８】
本発明は、上記従来の配管接続検査方法が有する問題点に鑑み、簡易、かつ、確実に消火設備の配管系路の接続状態を検査することができる配管接続検査装置を提供することを目的とする。
【課題を解決するための手段】
【０００９】
上記目的を達成するため、本発明の配管接続検査装置は、消火剤ガスを使用する消火設備の配管系路の接続状態を検査する配管接続検査装置であって、検査を行う配管系路の一端側に形成された開口部に配設された噴射ノズルに、該噴射ノズルを覆うことができる音波出力部を備えた音波出力手段を配置するようにし、他端側の開口部として配管系路の選択弁の下流側に設けられた消火設備の稼働を検出するための圧力取出口に、前記音波出力手段から出力された音波を受信し、該受信した音波を表示する音波受信表示手段を配置するようにしたことを特徴とする。
【００１０】
この場合において、前記音波出力手段から出力する音波の周波数に、１０００Ｈｚ以下の音波を使用することができる。
【００１１】
また、前記音波受信表示手段が、音波出力手段から出力される音波を選択的に受信する機能を備えるようにすることができる。
【発明の効果】
【００１２】
本発明の配管接続検査装置によれば、配管接続検査装置を、検査を行う配管系路の一端側に形成された開口部に対向して配置可能とした音波出力手段と、他端側に形成された開口部に配置可能とした、前記音波出力手段から出力された音波を受信し、該受信した音波を表示する音波受信表示手段とから構成することにより、音波出力手段から出力された音波が音波受信表示手段に表示されることで、簡易、かつ、確実に消火設備の配管系路の接続状態を検査することができるとともに、ガス放出の必要がないから検査コストが嵩むことがなく、また、目視によって配管を追うことができない箇所がある配管系路であっても確実に検査を行うことができる。
【００１３】
そして、音波出力手段に、配管系路に形成された開口部に配設された噴射ノズルを覆うことができる音波出力部を配設することにより、形状やサイズの異なる噴射ノズルに合わせた音波出力部を配設した音波出力手段を使って、効率よく、噴射ノズルから音波を配管系路内に出力することができる。
【００１４】
また、音波を受信する側の開口部に、消火設備の稼働を検出するための圧力取出口を用いることにより、音波受信表示手段の配置を簡単に行うことができ、作業を簡易、かつ、確実に行うことができる。
【００１５】
また、前記音波出力手段から出力する音波の周波数に、１０００Ｈｚ以下の音波を使用することにより、音波の減衰率が低く、長い配管系路であっても確実に検査を行うことができる。
【００１６】
また、前記音波受信表示手段が、音波出力手段から出力される音波を選択的に受信する機能を備えるようにすることにより、ノイズの影響を低減し、正確な検査を行うことができる。
【図面の簡単な説明】
【００１７】
【図１】本発明の配管接続検査装置の一実施例を示し、配管接続検査装置を設置した状態の消火設備を有する建造物の概略図である。
【図２】同配管接続検査装置の音波出力手段の音波出力部を示し、（ａ）は正面図、（ｂ）は側面図である。
【図３】同配管接続検査装置の概略説明図を示す。
【図４】同配管接続検査装置を用いて行う、配管系路の接続状態の検査手順を示すフロー図である。
【発明を実施するための形態】
【００１８】
以下、本発明の配管接続検査装置の実施の形態を、図面に基づいて説明する。
【００１９】
図１〜図４に、本発明の配管接続検査装置の一実施例を示す。
図１は、配管接続検査装置２を設置した状態の消火設備１を有する建造物の概略図を示す。
この配管接続検査装置２を使用する消火設備１は、複数本（本実施例においては６本。）の消火剤貯蔵容器３Ａ、３Ｂ、・・・、３Ｆを備え、各消火剤貯蔵容器３には、消火剤貯蔵容器弁３０を介して連結管３１を接続し、さらに連結管３１を１本の集合管７０に接続し、この集合管７０を複数（本実施例においては３つ。）の消火対象区画８Ａ、８Ｂ、８Ｃまで延設した主配管７Ａ、７Ｂ、７Ｃに接続するようにしている。
主配管７Ａ、７Ｂ、７Ｃには、選択弁４Ａ、４Ｂ、４Ｃを配設し、消火対象区画８Ａ、８Ｂ、８Ｃに配備された火災検知器（図示省略）が検知した火災発生の検知信号に応じて、選択弁４Ａ、４Ｂ、４Ｃに配備した不還弁を付設した選択弁開放装置（図示省略）に、それぞれの選択弁開放装置と対応した、起動用ガスを充填（本実施例においては二酸化炭素を液体状態で充填している。）した起動用ガス容器６Ａ、６Ｂ、６Ｃから起動用ガスを送出し、対応する選択弁４を開放することで、消火対象区画８Ａ、８Ｂ、８Ｃに選択的に不活性消火剤ガスを送るようにしている。
【００２０】
そして、消火対象区画８Ａ、８Ｂ、８Ｃまで延設した主配管７Ａ、７Ｂ、７Ｃを、消火対象区画８Ａ、８Ｂ、８Ｃにそれぞれ配設した枝管７ａ、７ｂ、７ｃ、７ｄに接続し、この枝管７ａ、７ｂ、７ｃ、７ｄを消火対象区画８Ａ、８Ｂ、８Ｃ内の適所に複数個（本実施例においては４個。）配設した噴射ノズル５に接続し、各消火剤貯蔵容器３から送られる不活性消火剤ガスを各消火対象区画８に放出するようにしている。
【００２１】
消火設備１に使用する消火剤は、本実施例においては、不活性消火剤ガスを使用し、不活性消火剤ガスとして、例えば、窒素ガスを使用する。
そして、これを加圧して高圧ガス容器に充填した状態（特に限定されるものではないが、例えば、３５℃において、３０ＭＰａ。）で消火設備内に保管することにより、消火剤貯蔵容器３として利用する。
【００２２】
配管接続検査装置２は、噴射ノズル５から消火剤貯蔵容器３に貯蔵されている消火剤を噴射する消火設備１の配管系路７（選択弁４と噴射ノズル５とを接続する主配管７Ａ、７Ｂ、７Ｃ（枝管７ａ、７ｂ、７ｃ、７ｄを含む。））の接続状態（選択弁４と消火対象区画８（噴射ノズル５）との対応関係）を検査するもので、検査を行う配管系路７に配設された噴射ノズル５に対向して配置可能とした音波出力手段２Ｂと、消火剤貯蔵容器３と噴射ノズル５とを接続する配管系路７に設けた音波を受信する側の開口部４０（以下、「検査用開口部」という。）に配置可能とした、音波出力手段２Ｂから出力された音波を受信し、受信した音波を表示する音波受信表示手段２Ａとから構成するようにしている。
【００２３】
音波出力手段２Ｂは、噴射ノズル５を覆うことができる音波出力部２３を着脱可能に配設するようにして、形状やサイズの異なる噴射ノズル５に合わせた音波出力部２３を配設した音波出力手段２Ｂを使って、効率よく、音波を噴射ノズル５を介して配管系路７内に出力することができるようにしている。
また、音波出力部２３は、図２に示すように、スピーカ２３ａとスピーカ２３ａから出力される音波の方向を規制するホーン部２３ｂとスピーカ２３ａ及びホーン部２３ｂを揺動可能に固定するコ字状の支持部材２３ｃとからなり、本実施例においては、脚立等を用いることなく、ホーン部２３ｂの先端周縁を天井面に当接させることによって、天井面に配設される噴射ノズル５をホーン部２３ｂによって簡単に覆うことができるように、支持部材２３ｃを支持棒２４の先端に取り付けるようにしている。
そして、スピーカ２３ａと、音波出力ユニット２２ａを内接した筐体２２とを信号線Ｌによって接続し、音波出力ユニット２２ａから出力される音波信号をスピーカ２３ａから音波として流すようにする。
また、音波出力手段２Ｂの筐体２２には、図３に示すように、供給電源２２ｂを内蔵するとともに、音波出力ユニット２２ａをオンオフする音波出力スイッチ２２ｃを備えている。この音波出力スイッチ２２ｃは、後述するように、遠隔操作によってオンオフすることができるように構成されている。
【００２４】
音波受信表示手段２Ａは、検査用開口部４０に設置する音波受信部２０と、受信した音波を解析し、表示可能なデジタル信号に変換する変換器及びデジタル信号に変換された音波を表示する表示部を備えた筐体２１とからなり、両者は信号線によって接続されている。
【００２５】
この場合、音波出力手段２Ｂから出力する音波の周波数に、１０００Ｈｚ以下（周波数の下限は、スピーカ２３ａによって出力可能な周波数。）、好ましくは、１００〜５００Ｈｚの音波を使用するようにしている。
これにより、音波出力手段２Ｂから出力する音波の減衰率が低く、長い配管系路７であっても確実に検査を行うことができる。
なお、音波出力手段２Ｂから出力する音波の波形としては、正弦波、矩形波等の任意の波形を用いることができる。
また、トーンバースト信号波等の信号波を用いることによって、より確実に検査を行うことができる。
【００２６】
また、この場合、音波受信表示手段２Ａは、音波出力手段２Ｂから出力される音波を選択的に受信する機能、例えば、バンドパスフィルタを備えることによって、音波出力手段２Ｂから出力される特定の周波数の音波のみを受け入れる機能を備えるようにすることができる。
これにより、ノイズの影響を低減し、正確な検査を行うことができる。
【００２７】
また、音波受信表示手段２Ａの音波受信部２０を配置する配管系路７に設けた検査用開口部４０は、選択弁４と噴射ノズル５との対応関係が判別できる箇所に設けるようにするが、通常、消火設備１に配設される選択弁４の圧力取出口４０ａを利用することができる。
すなわち、選択弁４の２次側（主配管側）には、消火設備１の稼働（選択弁４の開閉）を検知するための圧力スイッチ用の圧力取出口４０ａが形成されており（この圧力取出口４０ａは、選択弁４に直接又はその近傍に設けられるのが一般的である。）、この圧力取出口４０ａを利用することによって、消火設備１に対して、別途、検査用開口部４０を形成する必要がなく、音波受信表示手段２Ａの配置を簡単に行うことができる。
【００２８】
次に、この配管接続検査装置２を使用して、消火剤を噴射する消火設備１の配管系路７の接続状態（選択弁４と消火対象区画８（噴射ノズル５）との対応関係）を検査する手順について、図４に示すフロー図に基づいて説明する。
なお、検査の作業手順として、本実施例においては、音波出力手段２Ｂの音波出力部２３を噴射ノズル５で覆うように対向して設置し、音波受信表示手段２Ａを確認する作業者が遠隔操作によって音波出力手段２Ｂを操作して音波を出力しつつ、音波受信表示手段２Ａを確認して、配管系路７の接続状態（選択弁４と消火対象区画８（噴射ノズル５）との対応関係）を検査するようにした作業手順で説明するが、音波出力手段２Ｂの音波出力部２３のホーン部２３ｂで噴射ノズル５を覆って音波を発信する作業者と、発信された音波を受信する音波受信表示手段２Ａを確認する作業者同士が無線通信等を利用して連絡を取りながら検査を進めることもできる。
【００２９】
まず、消火対象区画８Ａを消火する際に開放する選択弁４を確認するための、配管系路７の検査は、消火対象区画８Ａに配設される複数の噴射ノズル５のうちのいずれか一箇所の噴射ノズル５（本実施例においては、枝管７ａに配設されている噴射ノズル５）を、音波出力手段２Ｂの音波出力部２３のホーン部２３ｂで覆うようにして設置する。
このとき、スピーカ２３ａ及びホーン部２３ｂを支持部材２３ｃ（支持棒２４）に対して揺動させ、ホーン部２３ｂの先端周縁を天井面に当接させることによって、ホーン部２３ｂで噴射ノズル５を覆うようにして、噴射ノズル５に対して音波が確実に入射するようにする。
【００３０】
次に、作業者は、選択弁４Ａ、４Ｂ、４Ｃのいずれかの圧力取出口４０ａに音波受信表示手段２Ａの音波受信部２０を設置する。
【００３１】
そして、遠隔操作によって音波出力手段２Ｂから音波を出力し、音波受信表示手段２Ａの筐体２１の表示部を確認する。
【００３２】
表示部に所定の音波信号が表示されるまで作業を繰り返し、消火対象区画８Ａと選択弁４Ａとの対応関係を把握し、配管系路７（ここでは、選択弁４と噴射ノズル５とを接続する主配管７Ａ）の接続状態の検査を完了する。
【００３３】
以上、本発明の配管接続検査装置について、その実施例に基づいて説明したが、本発明は上記実施例に記載した構成に限定されるものではなく、例えば、音波出力手段と音波受信表示手段の配置位置を逆に設定するようにしたり、消火設備の配管系路に形成された開口部に噴射ノズルを取り付ける前の施工時や消火剤に液体、泡、粉体等を使用する消火設備における配管系路の接続状態を検査にも適用できる等、その趣旨を逸脱しない範囲において適宜その構成を変更することができるものである。
【産業上の利用可能性】
【００３４】
本発明の配管接続検査装置は、簡易、かつ、確実に配管系路の接続状態を検査することができるという特性を有していることから、消火剤を噴射する消火設備等の各種消火設備の配管系路の接続状態を検査する用途に好適に用いることができる。
【符号の説明】
【００３５】
１    消火設備
２    配管接続検査装置
２Ａ  音波受信表示手段
２Ｂ  音波出力手段
２３  音波出力部
３    消火剤貯蔵容器
４    選択弁
５    噴射ノズル
７    配管系路
【図１】
0005415498.tif 000002
【図２】
0005415498.tif 000003
【図３】
0005415498.tif 000004
【図４】
0005415498.tif 000005